Podtech/llm-jp-corpus-v4-ja_patent huggingface dataset:
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示手段における識別情報の可変表示の表示結果が予め定められた特定表示結果となったときに、遊技者にとって有利な特定遊技状態に制御する遊技機であって、
前記特定表示結果とするか否かを、識別情報の表示結果が導出表示される以前に決定する事前決定手段と、
前記事前決定手段の決定結果にもとづいて、予め定められた順番に従って１段階から複数段階まで演出の態様を段階的に変化させる予告演出を実行可能で、前記特定表示結果とする場合は該特定表示結果としない場合よりも高い割合で予め定められた段階まで演出が行われるステップアップ予告演出を決定する予告演出決定手段と、
前記予告演出決定手段により決定された前記ステップアップ予告演出を実行する予告演出実行手段とを備え、
前記予告演出決定手段は、
前記ステップアップ予告演出として第１ステップアップ予告演出を決定する第１ステップアップ予告演出決定手段と、
前記ステップアップ予告演出として前記第１ステップアップ予告演出とは異なる第２ステップアップ予告演出を決定する第２ステップアップ予告演出決定手段とを含み、
前記予告演出実行手段は、前記ステップアップ予告演出として前記第１ステップアップ予告演出と前記第２ステップアップ予告演出とを可変表示中に同時に実行可能であり、
前記第１ステップアップ予告演出と前記第２ステップアップ予告演出とで前記特定表示結果となる場合に予め定められた段階まで演出が行われる割合が異なり、
前記ステップアップ予告演出を含む予告演出のうち少なくとも一部の組み合わせを実行しないように制限する予告演出制限手段をさらに備えた
ことを特徴とする遊技機。
【手続補正２】
【補正対象書類名】明細書
【補正対象項目名】０００１
【補正方法】変更
【補正の内容】
【０００１】
本発明は、各を識別可能な複数種類の識別情報を可変表示する可変表示手段における識別情報の表示結果が予め定められた特定表示結果となったときに、遊技者にとって有利な特定遊技状態に制御するパチンコ遊技機やスロット機等の遊技機に関する。
【手続補正３】
【補正対象書類名】明細書
【補正対象項目名】００１２
【補正方法】変更
【補正の内容】
【００１２】
本発明による遊技機は、各々を識別可能な複数種類の識別情報を可変表示する可変表示手段における識別情報の可変表示の表示結果が予め定められた特定表示結果となったときに、遊技者にとって有利な特定遊技状態に制御する遊技機であって、特定表示結果とするか否かを、識別情報の表示結果が導出表示される以前に決定する事前決定手段と、事前決定手段の決定結果にもとづいて、予め定められた順番に従って１段階から複数段階まで演出の態様を段階的に変化させる予告演出を実行可能で、特定表示結果とする場合は該特定表示結果としない場合よりも高い割合で予め定められた段階まで演出が行われるステップアップ予告演出を決定する予告演出決定手段と、予告演出決定手段により決定されたステップアップ予告演出を実行する予告演出実行手段とを備え、予告演出決定手段は、ステップアップ予告演出として第１ステップアップ予告演出を決定する第１ステップアップ予告演出決定手段と、ステップアップ予告演出として第１ステップアップ予告演出とは異なる第２ステップアップ予告演出を決定する第２ステップアップ予告演出決定手段とを含み、予告演出実行手段は、ステップアップ予告演出として第１ステップアップ予告演出と第２ステップアップ予告演出とを可変表示中に同時に実行可能であり、第１ステップアップ予告演出と第２ステップアップ予告演出とで特定表示結果となる場合に予め定められた段階まで演出が行われる割合が異なり、ステップアップ予告演出を含む予告演出のうち少なくとも一部の組み合わせを実行しないように制限する予告演出制限手段をさらに備えたことを特徴とする。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
複数の図柄が表示された複数のリールを回転させて停止させるスロットマシンであって、
抽選処理により複数の役の中から少なくとも１つの役またははずれを決定する役抽選を行なうための役抽選手段と、
複数の図柄が表示された複数のリールを回転させた後、遊技者のリール停止操作に基づく信号を受信したとき、前記役抽選の結果に応じて、回転させたリールの停止制御を行なうリール制御手段と、
前記役抽選で何れかの役に決定したとき当選フラグを設定し、該当選フラグが設定された状態で、前記リール停止制御により該役抽選で決定された役に対応した図柄の組み合わせが有効ライン上に表示されて入賞したと判断したとき、該入賞したと判断された役に対応した入賞処理を行なう入賞処理制御手段と、
所定の遊技状態において所定の決定条件を満たしたときにフリーズフラグを設定するフリーズフラグ設定手段、該フリーズフラグが設定された状態で所定のフリーズ実施要件を満たしたとき遊技機の操作手段の機能を一時停止状態にするフリーズ演出を行なうフリーズ実施手段、及び前記所定のフリーズ実施要件を満たさないときフリーズ演出を行なわないフリーズ制御手段と、
を備え、
前記フリーズフラグ設定手段により、フリーズフラグが設定されている状態で前記所定のフリーズ実施要件を満たしていない遊技において、所定のフリーズフラグ消去要件を満たしたとき、設定されていた前記フリーズフラグを消去することを特徴とするスロットマシン。
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記利益付与判定手段による判定がなされたことに基づいて複数種類の図柄情報を変動表示して所定の表示結果を導出表示する表示手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示手段に特定表示結果を導出表示し、前記大入賞口開閉手段を前記開放状態に変化させて前記利益付与状態に制御する遊技機であって、
遊技者に操作可能に設けられる操作手段と、
前記操作手段を、遊技者の操作を受け付ける状態に有効化する操作手段有効化制御手段と、
前記表示手段を表示制御する表示制御手段と、
該表示制御手段により前記図柄情報の変動表示を開始してから前記表示結果を導出表示する以前に、当該変動表示の表示結果が前記特定表示結果となることを示唆する予告演出を所定回数実行する連続予告演出するか否かを判定する予告演出判定手段と、
該予告演出判定手段によって前記連続予告演出すると判定されたとき、当該連続予告演出にて実行可能な予告演出回数を決定する予告回数決定手段と、を備え、
前記表示制御手段は、
前記利益付与判定手段の判定結果に基づいて前記特定表示結果となる割合の異なる複数の示唆度合いのいずれかを表示し、
前記操作手段有効化制御手段は、
前記予告演出判定手段により前記連続予告演出すると判定されたとき、
所定回数実行されるそれぞれの予告演出ごとに、該予告演出中の所定期間の間、前記操作手段の操作を有効化する
ことを特徴とする遊技機。
【手続補正書】
【提出日】平成25年4月4日(2013.4.4)
【手続補正１】
【補正対象書類名】特許請求の範囲
【補正対象項目名】全文
【補正方法】変更
【補正の内容】
【特許請求の範囲】
【請求項１】
番組ガイドを提供する方法であって、
複数の番組タイトルを含む前記番組ガイドを表示するステップであって、当該複数の番組タイトルの各々がチャンネルに関連付けられている、前記ステップと、
ポインタによって指定された番組タイトルを判定するステップと、
前記判定された番組タイトルに関連付けられたチャンネルを判定するステップと、
前記判定されたチャンネルの信号品質を測定するステップであって、該信号品質がエラーが生じているビットの数に基づいて判定される、前記ステップと、
現在表示されている前記番組タイトルに関連付けられた各々のチャンネルの信号品質を測定するステップと、
前記測定された信号品質に従って前記判定されたチャンネルと現在表示されている前記番組タイトルに関連付けられた他のチャンネルとを並べて、該並べられたチャンネルと該並べられたチャンネルの信号品質とを前記番組ガイドと共に表示するステップと、
を含む、前記方法。
【請求項２】
現在表示されている番組タイトルに関連付けられた前記チャンネルのいずれか１つに対して前記測定された信号品質が低い場合、アンテナ調整が必要である旨を示す、前記チャンネルに対する前記測定された信号品質のインジケータを表示する、請求項１記載の方法。
【請求項３】
番組ガイドを提供する装置であって、
前記番組ガイドに関連するデータを格納する第１の手段と、
前記格納されたデータを使用して前記番組ガイドを表示可能にする第２の手段であって、前記番組ガイドは、複数の番組タイトルを含み、当該複数の番組タイトルの各々がチャンネルに関連付けられている、前記第２の手段と、
を備え、
前記第２の手段が、ポインタによって指定された番組タイトルを判定し、前記判定された番組タイトルに関連付けられたチャンネルを判定し、
前記第２の手段が、前記判定されたチャンネルの信号品質を測定し、該信号品質がエラーが生じているビットの数に基づいて判定され、
前記第２の手段が、現在表示されている前記番組タイトルに関連付けられた各々のチャンネルの信号品質を測定し、
前記測定された信号品質に従って前記判定されたチャンネルと現在表示されている前記番組タイトルに関連付けられた他のチャンネルとが並べられ、該並べられたチャンネルと該並べられたチャンネルの信号品質とが前記番組ガイドと共に表示される、前記装置。
【請求項４】
現在表示されている番組タイトルに関連付けられた前記チャンネルのいずれか１つに対して前記測定された信号品質が低い場合、前記第２の手段が、アンテナ調整が必要である旨を示す、前記チャンネルに対する前記測定された信号品質のインジケータを表示する、請求項３記載の装置。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
通信端末を備えた通信システムのサーバであって、
上記通信端末に導入された少なくとも１つのアプリケーションがデータの送信のための搬送媒体としてＭＭＳを使用するか否かを示す単一ビット表示が、上記通信端末によって上記サーバに送信され、上記通信端末と通信リンクが構成された後に、上記通信端末に導入された少なくとも１つのアプリケーションが上記搬送媒体としてのＭＭＳを使用するかどうかを決定する場合には、上記単一ビット表示の働きとしての制御動作を実行するように構成されている制御装置と、
上記通信端末にメッセージを送信するように構成されている送信装置と、
上記通信端末に送信されるメッセージを変換するように構成されている変換装置とを備えており、
上記制御動作は、上記サーバの送信装置によって上記通信端末に送信されるメッセージの上記変換装置による変換を、上記単一ビット表示に基づいて、活動化または非活動化するものであることを特徴とするサーバ。
【請求項２】
上記制御装置は、前記少なくとも１つのアプリケーションがデータの送信のための搬送媒体としてＭＭＳを使用することを上記単一ビット表示が示している場合には、上記メッセージの上記変換装置による変換を非活動化することを特徴とする請求項１に記載のサーバ。
【請求項３】
上記単一ビット表示は、上記少なくとも１つのアプリケーションがデータの送信のための搬送媒体としてＭＭＳを使用するか否かの変化に基づいて、上記通信端末によって更新されることを特徴とする請求項１または２に記載のサーバ。
【請求項４】
前記制御装置は、上記通信端末と通信リンクが構成された後に、上記通信端末に導入された少なくとも１つのアプリケーションが上記搬送媒体としてＭＭＳを使用するかどうかを決定する場合には、上記通信端末に導入された少なくとも１つのアプリケーションが上記搬送媒体としてＭＭＳを使用するかどうかを上記通信端末に問い合わせることなく、上記制御動作を実行することを特徴とする請求項１から３の何れか１項に記載のサーバ。
【請求項５】
上記制御動作は、さらに、上記送信装置によって上記通信端末に送信されるいずれのメッセージを上記変換装置によって変換する必要があるかを決定することを含んでいることを特徴とする請求項１に記載のサーバ。
【請求項６】
上記変換装置は、マルチメディア送信プロトコルを用いて、上記送信装置を介して上記通信端末に送信されるメッセージを変換するように構成されていることを特徴とする請求項１に記載のサーバ。
【請求項７】
サーバを備えた通信システムの通信端末であって、
上記通信端末に導入された少なくとも１つのアプリケーションがデータの送信のための搬送媒体としてＭＭＳを使用するか否かを示す単一ビット表示が、上記通信端末によって上記サーバに送信するように構成されている信号装置を備え、
上記少なくとも１つのアプリケーションがデータの送信のための搬送媒体としてＭＭＳを使用するか否かの変化に基づいて、上記単一ビット表示を更新することを特徴とする通信端末。
【請求項８】
上記通信端末に導入されてＭＭＳを前記搬送媒体として使用するアプリケーションのリストを処理することにより、上記少なくとも１つのアプリケーションがデータの送信のための搬送媒体としてＭＭＳを使用するか否かを判定することを特徴とする請求項７に記載の通信端末。
【請求項９】
上記信号装置は、マルチメディア送信プロトコルを用いて上記単一ビット表示を上記サーバに送信するように構成されていることを特徴とする請求項７または８に記載の通信端末。
【請求項１０】
上記マルチメディア送信プロトコルは、ＭＭＳ送信プロトコルであることを特徴とする、請求項９に記載の通信端末。
【請求項１１】
上記信号装置は、上記単一ビット表示を上記通信端末のプロファイルによって送信するように構成されていることを特徴とする請求項７または８に記載の通信端末。
【請求項１２】
上記プロファイルは、ＵＡ‐Ｐｒｏｆ規格に従うことを特徴とする請求項１１に記載の通信端末。
【請求項１３】
通信端末を備えた通信システムにおけるサーバの動作方法であって、
上記サーバにより、上記通信端末に導入された少なくとも１つのアプリケーションがデータの送信のための搬送媒体としてＭＭＳを使用するか否かを示す単一ビット表示が、上記通信端末によって上記サーバに送信され、上記通信端末と通信リンクが構成された後に、上記通信端末に導入された少なくとも１つのアプリケーションが上記搬送媒体としてのＭＭＳを使用するかどうかを決定する場合には、上記単一ビット表示の働きとしての制御動作を実行し、
上記サーバにより、上記通信端末に送信されるメッセージの変換を、上記単一ビット表示内に含まれた情報に基づいて、活動化または非活動化することを特徴とするサーバの動作方法。
【請求項１４】
サーバを備えた通信システムにおける通信端末の動作方法であって、
上記通信端末により、上記通信端末に導入された少なくとも１つのアプリケーションがデータの送信のための搬送媒体としてＭＭＳを使用するか否かを示す単一ビット表示を、上記サーバに送信し、
上記サーバは、上記通信端末と通信リンクが構成された後に、上記通信端末に導入された少なくとも１つのアプリケーションが上記搬送媒体としてのＭＭＳを使用するかどうかを決定する場合には、上記単一ビット表示の働きとしての制御動作を実行し、
上記通信端末により、上記少なくとも１つのアプリケーションがデータの送信のための搬送媒体としてＭＭＳを使用するか否かの変化に基づいて、上記単一ビット表示を更新することを特徴とする通信端末の動作方法。
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
開閉ドアを有する滅菌室の中に設置するための設置装置であって、
滅菌ガスを前記滅菌室を介して導入するための導入菅と連通し、被滅菌物を挿入するための開口部を備える収納室と、
少なくとも前記滅菌室の前記開閉ドアが閉じているときには、前記開口部が閉じるように前記滅菌室の内壁に接触させて前記収納室を移動させる移動手段と、
を備えることを特徴とする設置装置。
【請求項２】
前記移動手段は、前記開閉ドアの開閉動作に連動して前記収納室を移動させることを特徴とする請求項１に記載の設置装置。
【請求項３】
前記開閉ドアが開いている時には、前記移動手段が、前記被滅菌物を前記開口部から挿入可能なように前記収納室を移動させることを特徴とする請求項１または請求項２に記載の設置装置。
【請求項４】
前記開閉ドアが開いている時に、前記閉じている時よりも低い位置になるように前記収納室が昇降することを特徴とする請求項１乃至請求項３のいずれか１項に記載の設置装置。
【請求項５】
前記開閉ドアが閉じている時には、前記開口部が閉じるように接触している収納室を押圧する押圧手段をさらに備えることを特徴とする請求項１乃至請求項４のいずれか１項に記載の設置装置。
【請求項６】
前記開閉ドアには窓が構成され、
前記開閉ドアが閉じている時に、前記窓から前記被滅菌物が挿入されている開口部が目視できるように前記収納室を配置することを特徴とする請求項１乃至請求項５のいずれか１項に記載の設置装置。
【請求項７】
前記窓は、前記収納室よりも大きいことを特徴とする請求項６に記載の設置装置。
【請求項８】
前記導入菅は前記収納室に前記滅菌ガスが導入されるための抵抗として機能することを特徴とする請求項１乃至請求項７のいずれか１項に記載の設置装置。
【請求項９】
前記被滅菌物はインジケータであることを特徴とする請求項１乃至請求項８のいずれか１項に記載の設置装置。
【請求項１０】
滅菌ガスを滅菌室を介して導入するための導入菅と連通し、被滅菌物を挿入するための開口部を備える収納室を、開閉ドアを有する前記滅菌室の中に設置するための設置装置による設置方法であって、
前記設置装置の移動手段が、少なくとも前記滅菌室の前記開閉ドアが閉じているときには、前記開口部が閉じるように前記滅菌室の内壁に接触させて前記収納室を移動させる移動工程と、
を含むことを特徴とする設置方法。
【請求項１１】
開閉ドアを有する滅菌室と、
滅菌ガスを前記滅菌室を介して導入するための導入菅と連通し、被滅菌物を挿入するための開口部を備える収納室と、
少なくとも前記滅菌室の前記開閉ドアが閉じているときには、前記開口部が閉じるように前記滅菌室の内壁に接触させて前記収納室を移動させる移動手段と、
を備えることを特徴とする滅菌装置。
【請求項１２】
開閉ドアを有する滅菌室と、滅菌ガスを前記滅菌室を介して導入するための導入菅と連通し、被滅菌物を挿入するための開口部を備える収納室とを備える滅菌装置による滅菌方法であって、
前記滅菌装置の移動手段が、少なくとも前記滅菌室の前記開閉ドアが閉じているときには、前記開口部が閉じるように前記滅菌室の内壁に接触させて前記収納室を移動させる移動工程と、
を含むことを特徴とする滅菌方法。
【手続補正２】
【補正対象書類名】明細書
【補正対象項目名】発明の名称
【補正方法】変更
【補正の内容】
【発明の名称】設置装置および設置方法、滅菌装置および滅菌方法。
【手続補正３】
【補正対象書類名】明細書
【補正対象項目名】０００１
【補正方法】変更
【補正の内容】
【０００１】
本発明は、設置装置および設置方法、滅菌装置および滅菌方法に関する。
【手続補正４】
【補正対象書類名】明細書
【補正対象項目名】０００４
【補正方法】変更
【補正の内容】
【０００４】
先行技術においては、滅菌の効果を確認する機器は精密機器であるので、インジケータを交換するためには、機器のインジケータを装着する部分を開けてインジケータを装着し、最後には機器のインジケータを装着する部分を閉めるといったように、非常に手間であるといった課題がある。特に医療の現場にて滅菌作業に従事する作業者や看護士は女性が従事することが多いため、このような機器の開け閉めの作業は非力な女性には不向きな作業であった。
本願発明は、滅菌処理する時に、滅菌室の環境と分離することができる空間の中に簡単に被滅菌物を装着できる仕組みを提供することを目的とする。
【手続補正５】
【補正対象書類名】明細書
【補正対象項目名】０００５
【補正方法】変更
【補正の内容】
【０００５】
本願発明は、開閉ドアを有する滅菌室の中に設置するための設置装置であって、滅菌ガスを前記滅菌室を介して導入するための導入菅と連通し、被滅菌物を挿入するための開口部を備える収納室と、少なくとも前記滅菌室の前記開閉ドアが閉じているときには、前記開口部が閉じるように前記滅菌室の内壁に接触させて前記収納室を移動させる移動手段と、を備えることを特徴とする。
また、前記移動手段は、前記開閉ドアの開閉動作に連動して前記収納室を移動させることを特徴とする。
前記開閉ドアが開いている時には、前記移動手段が、前記被滅菌物を前記開口部から挿入可能なように前記収納室を移動させることを特徴とする請求項１または請求項２に記載の設置装置。
また、前記開閉ドアが開いている時に、前記閉じている時よりも低い位置になるように前記収納室が昇降することを特徴とする。
また、前記開閉ドアが閉じている時には、前記開口部が閉じるように接触している収納室を押圧する押圧手段をさらに備えることを特徴とする。
また、前記開閉ドアには窓が構成され、前記開閉ドアが閉じている時に、前記窓から前記被滅菌物が挿入されている開口部が目視できるように前記収納室を配置することを特徴とする。
また、前記窓は、前記収納室よりも大きいことを特徴とする。
また、前記導入菅は前記収納室に前記滅菌ガスが導入されるための抵抗として機能することを特徴とする。
また、前記被滅菌物はインジケータであることを特徴とする。
【手続補正６】
【補正対象書類名】明細書
【補正対象項目名】０００６
【補正方法】変更
【補正の内容】
【０００６】
本願発明により、滅菌処理する時に、滅菌室の環境と分離することができる空間の中に簡単に被滅菌物を装着できる仕組みを提供することが可能となる。
【手続補正書】
【提出日】平成25年7月16日(2013.7.16)
【手続補正１】
【補正対象書類名】明細書
【補正対象項目名】００１０
【補正方法】変更
【補正の内容】
【００１０】
本発明の目的は、滅菌室に滅菌剤を導入する経路に残留している滅菌剤を滅菌室に導入する仕組みを設けることで、滅菌剤の無駄を減らすと共に滅菌作用を促すことである。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
滅菌室の内部を照らす照明と、
前記照明を点灯させて、滅菌処理の状態異常に応じて該状態異常を報知する点灯部と、
前記内部を照らして前記状態異常を報知する前記照明の点灯が、前記滅菌室の外部から観察可能である第１の窓と、
を備えることを特徴とする滅菌装置。
【請求項２】
前記滅菌装置は、
前記滅菌室を真空にして滅菌し、
前記照明を大気圧で格納する格納室を更に備え、
前記照明は、前記滅菌室の内部と大気圧である前記格納室の境界にある第２の窓を介して真空になる前記滅菌室の内部を照らすことを特徴とする請求項１に記載の滅菌装置。
【請求項３】
滅菌処理が正常状態である場合には、前記照明とは異なる色の照明を点灯させて該正常状態を報知する照明色変更部と、
をさらに備えることを特徴とする請求項１または請求項２に記載の滅菌装置。
【請求項４】
前記第１の窓が２０パスカル程度まで耐えられる真空用の耐圧ガラスであることを特徴とする請求項１乃至請求項３のいずれか１項に記載の滅菌装置。
【請求項５】
前記第２の窓が２０パスカル程度まで耐えられる真空用の耐圧ガラスであることを特徴とする請求項２乃至請求項４のいずれか１項に記載の滅菌装置。
【請求項６】
前記第１の窓が、滅菌室ドアの一部に組み込まれているビューポートして機能することを特徴とする請求項１乃至請求項５のいずれか１項に記載の滅菌装置。
【手続補正２】
【補正対象書類名】明細書
【補正対象項目名】０００５
【補正方法】変更
【補正の内容】
【０００５】
本願発明は、滅菌室の内部を照らす照明と、前記照明を点灯させて、滅菌処理の状態異常に応じて該状態異常を報知する点灯部と、前記内部を照らして前記状態異常を報知する前記照明の点灯が、前記滅菌室の外部から観察可能である第１の窓と、を備えることを特徴とする滅菌装置である。
【手続補正３】
【補正対象書類名】明細書
【補正対象項目名】０００６
【補正方法】変更
【補正の内容】
【０００６】
また、前記滅菌装置は、前記滅菌室を真空にして滅菌し、前記照明を大気圧で格納する格納室を更に備え、前記照明は、前記滅菌室の内部と大気圧である前記格納室の境界にある第２の窓を介して真空になる前記滅菌室の内部を照らすことを特徴とする。
また、滅菌処理が正常状態である場合には、前記照明とは異なる色の照明を点灯させて該正常状態を報知する照明色変更部と、をさらに備えることを特徴とする。
また、前記第１の窓が２０パスカル程度まで耐えられる真空用の耐圧ガラスであることを特徴とする。
また、前記第２の窓が２０パスカル程度まで耐えられる真空用の耐圧ガラスであることを特徴とする。
また、前記第１の窓が、滅菌室ドアの一部に組み込まれているビューポートして機能することを特徴とする。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
装填庫装着部と、
装填庫装着部に設置された、貨幣を装填するための複数の装填庫と、
前記装填庫に装填された貨幣を投出する貨幣投出部と、
装置本体に対して施開錠可能な遮蔽扉であって前記装填庫装着部に設置された前記装填庫を遮蔽する前記遮蔽扉とを有し、
前記遮蔽扉は、前記複数の装填庫に対して、独立して開閉可能に複数設けられていることを特徴とする貨幣処理装置。
【請求項２】
補充すべき装填庫の属する位置を表示する画面表示部がさらに設けられている請求項１に記載の貨幣処理装置。
【請求項３】
各遮蔽扉には、遮蔽扉を独立してロックするロック機構がそれぞれ備えられ、貨幣処理装置の貨幣処理中に出入金処理をする装填庫を遮蔽する遮蔽扉は、前記ロック機構によりロックされる請求項１又は請求項２に記載の貨幣処理装置。
【請求項４】
各遮蔽扉で遮蔽される複数の装填庫は、互いに同一金種の装填庫が含まれている請求項１から請求項３の何れかに記載の貨幣処理装置。
【請求項５】
前記装填庫は列ごとに設けられており、
前記遮蔽扉は、一枚で一列の装填庫を遮蔽する請求項１から請求項４の何れかに記載の貨幣処理装置。
【請求項６】
前記装填庫は列ごとに設けられており、
前記遮蔽扉は、一枚で複数の列の装填庫を遮蔽する請求項１から請求項４の何れかに記載の貨幣処理装置。
【請求項７】
前記装填庫に収容されている貨幣の数を計数する貨幣検知センサをさらに有し、前記遮蔽扉を閉じたときに、前記貨幣検知センサによって計数された結果を用いて各装填庫を自動的に精査する請求項１から請求項６の何れかに記載の貨幣処理装置。
【請求項８】
前記装填庫は、紙幣又は包装貨幣を装填するものである請求項１から請求項７の何れかに記載の貨幣処理装置。
【手続補正２】
【補正対象書類名】明細書
【補正対象項目名】０００９
【補正方法】変更
【補正の内容】
【０００９】
本発明の貨幣処理装置は、装填庫装着部に設置された、貨幣を装填するための複数の装填庫と、前記装填庫に装填された貨幣を投出する貨幣投出部と、装置本体に対して施開錠可能な遮蔽扉であって、前記装填庫装着部に設置された前記装填庫を遮蔽する前記遮蔽扉とを有し、前記遮蔽扉は、前記複数の装填庫に対して、独立して開閉可能に複数設けられているものである。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
装填庫装着部に設置された、貨幣を装填するための複数の装填庫と、
前記複数の装填庫に装填された貨幣を投出する貨幣投出部と、
前記複数の装填庫の近傍にそれぞれに対応して設けられ、各装填庫別の貨幣の装填量を表示する複数の表示部とを有することを特徴とする貨幣処理装置。
【請求項２】
前記装填庫は、前記装填庫装着部に対して着脱可能であり、
前記表示部は、いずれかの装填庫を抜き取ると、その装填庫が抜き取り中である旨を表示する、請求項１に記載の貨幣処理装置。
【請求項３】
前記表示部は、いずれかの装填庫を抜き取ると、前記貨幣の装填量の表示を、その装填庫が抜き取り中である旨の表示に切り替える、請求項２に記載の貨幣処理装置。
【請求項４】
前記装填庫に収容されている貨幣の数を計数する貨幣検知センサをさらに有し、前記表示部は、前記貨幣検知センサによって計数された各装填庫別の貨幣の装填量を表示する、請求項１から請求項３のいずれかに記載の貨幣処理装置。
【請求項５】
前記装填庫の異常を検知する異常検知手段をさらに有し、前記表示部は、異常が発生したときは異常である旨を表示する、請求項４に記載の貨幣処理装置。
【請求項６】
前記表示部は、異常が発生すると、前記貨幣の装填量の表示を、異常である旨の表示に切り替える、請求項５に記載の貨幣処理装置。
【請求項７】
前記異常検知手段は、装填された貨幣の金種を点検するものである、請求項５又は請求項６に記載の貨幣処理装置。
【請求項８】
前記異常検知手段は、装填された貨幣の整列状態を点検するものである、請求項５又は請求項６に記載の貨幣処理装置。
【請求項９】
前記異常検知手段は、装填された貨幣の金種に混ざった異物を点検するものである、請求項５又は請求項６に記載の貨幣処理装置。
【請求項１０】
前記装填庫は包装硬貨を装填するものであって、
前記貨幣検知センサは、装填された貨幣の異常部位を特定するものであって、
前記表示部は、異常が発生すると、前記貨幣の装填量の表示を、異常部位の表示に切り替える、請求項５から請求項９のいずれかに記載の貨幣処理装置。
【手続補正２】
【補正対象書類名】明細書
【補正対象項目名】０００１
【補正方法】変更
【補正の内容】
【０００１】
本発明は、金融機関の両替機等に内蔵される貨幣処理装置に関し、さらには包装硬貨等の貨幣を金種別に装填する装填庫（トレー）に装填された貨幣の装填量を管理することのできる貨幣処理装置に関するものである。    
【手続補正３】
【補正対象書類名】明細書
【補正対象項目名】０００８
【補正方法】変更
【補正の内容】
【０００８】
本発明の貨幣処理装置は、装填庫装着部に設置された、貨幣を装填するための複数の装填庫と、前記複数の装填庫に装填された貨幣を投出する貨幣投出部と、前記複数の装填庫の近傍にそれぞれに対応して設けられ、各装填庫別の貨幣の装填量を表示する複数の表示部とを有するものである。
この構成であれば、保守員は見た目が同じような装填庫が多く並んでいても、迷うことなく包装硬貨、紙幣などの貨幣が補充できる。保守員の手間も省け、現金補充がすばやくできることから、利用客を待たせる事もなく、稼働率の向上が実現できる。
【手続補正４】
【補正対象書類名】明細書
【補正対象項目名】０００９
【補正方法】変更
【補正の内容】
【０００９】
前記装填庫は、前記装填庫装着部に対して着脱可能であり、前記表示部は、いずれかの装填庫を抜き取ると、その装填庫が抜き取り中である旨を表示することが好ましい。
前記装填庫に収容されている貨幣の数を計数する貨幣検知センサをさらに有し、前記表示部は、前記貨幣検知センサによって計数された結果を用いて各装填庫別の貨幣の装填量を表示することが好ましい。
【手続補正５】
【補正対象書類名】明細書
【補正対象項目名】００３５
【補正方法】変更
【補正の内容】
【００３５】
よって、従来の装置のように、係員画面部１４の表示のみを見ながら、不足の装填庫を特定する必要がなくなり、本発明の構成により、保守員は見た目が同じような装填庫が多く並んでいても、迷うことなく包装硬貨の補充ができる。保守員の手間も省け、現金補充がすばやくできることから、利用客を待たせる事もなく、稼働率の向上が実現できる。
以上で、本発明の実施の形態を説明したが、本発明の実施は、前記の形態に限定されるものではない。本実施形態では包装硬貨を例に記載したが、紙幣においても同様に実施することができる。本実施形態では表示部への本数表示を、貨幣検知センサ３２の検知結果に基づいて行ったが、装填時に装填数を入力して在高管理しているものにおいては、その在高に基づいて表示しても構わない。その他本発明の範囲内で種々の変更を施すことが可能である。
【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
自動機に装着される操作パネル構造において、
合成樹脂素材にて構成される操作パネルと、
前記操作パネルに比べて薬品耐性の高い合成樹脂素材にて構成され、かつ前記操作パネルより薄い保護カバーと、を備え、
前記操作パネルの表面凹凸に沿って前記保護カバーにて該操作パネルを覆うことを特徴とする操作パネル構造。  
【請求項２】
請求項１記載の操作パネル構造であって、
前記操作パネルは、前記自動機に配置される表示装置の表示パネル部に対向する開口部を備え、
前記保護カバーは、さらに前記表示パネル部の表面凹凸に沿った形状で該表示パネル部を覆うことを特徴とする操作パネル構造。  
【請求項３】
請求項２記載の操作パネル構造であって、
前記保護カバーは赤外光通過部を有し、
前記表示パネルは、赤外線発光部及び赤外線受光部を備えた光学式タッチパネルであって、
前記保護カバーにて前記赤外線発光部と前記赤外線受光部とを覆う際、前記赤外光通過部を赤外光の入射角に対して略垂直とすることを特徴とする操作パネル構造。
【手続補正２】
【補正対象書類名】明細書
【補正対象項目名】００１０
【補正方法】変更
【補正の内容】
【００１０】
この発明は、自動機に装着される操作パネル構造において、合成樹脂素材にて構成される操作パネルと、前記操作パネルに比べて薬品耐性の高い合成樹脂素材にて構成され、かつ前記操作パネルより薄い保護カバーと、を備え、前記操作パネルの表面凹凸に沿って前記保護カバーにて該操作パネルを覆い、さらに前記操作パネルは、前記自動機に配置される表示装置の表示パネル部に対向する開口部を備え、前記保護カバーは、さらに前記表示パネル部の表面凹凸に沿った形状で該表示パネル部を覆うことを特徴とする。
【手続補正書】
【提出日】平成25年7月23日(2013.7.23)
【手続補正１】
【補正対象書類名】明細書
【補正対象項目名】０００６
【補正方法】変更
【補正の内容】
【０００６】
従って、本発明の第１の目的は、二次電池等を電力供給装置等に安全に組み込むことを可能にする電力供給装置を提供することにある。また、本発明の第２の目的は、発電装置の発電状態、電力供給ユニットの充放電状態に依存して、充電が必要とされる電力供給ユニットを容易に選択し得る電力供給装置を提供することにある。更には、本発明の第３の目的は、電力供給ユニットに接続された電力消費機器の電力消費状態、電力供給ユニットの充放電状態に依存して、どの電力供給ユニットを使用すべきかを容易に選択し得る電力供給装置を提供することにある。また、本発明の第４の目的は、電力供給ユニットの充放電状態に依存して、どの電力供給ユニットに電力を移動させ、平均化を図るべきかを容易に選択し得る電力供給装置を提供することにある。
【手続補正２】
【補正対象書類名】明細書
【補正対象項目名】００６４
【補正方法】変更
【補正の内容】
【００６４】
そして、この発電装置１５が、発電装置１５と制御装置１１０との間の通信が遮断されたときの発電装置であるとき、この発電装置に暗号鍵ｎｋj+kを送出する。暗号鍵ｎｋj+kは発電装置１５に備えられた記憶手段に記憶される。これによって、発電装置１５の電力供給ユニット群１０への組込みが完了する。
【手続補正３】
【補正対象書類名】明細書
【補正対象項目名】００７２
【補正方法】変更
【補正の内容】
【００７２】
そして、この電力消費機器１３Ａが、電力消費機器１３Ａと制御装置１１０との間の通信が遮断されたときの電力消費機器であるとき、この電力消費機器に暗号鍵ｎｋj+kを送出する。暗号鍵ｎｋj+kは電力消費機器１３Ａに備えられた記憶手段に記憶される。これによって、電力消費機器１３Ａの電力供給ユニット群１０への組込みが完了する。
【手続補正４】
【補正対象書類名】明細書
【補正対象項目名】００７７
【補正方法】変更
【補正の内容】
【００７７】
実施例５の電力供給装置１００Ｃは、実施例３の電力供給装置１００Ｃと同様に、
（ａ）複数の電力供給ユニット１１から成り、発電装置１５に接続された電力供給ユニット群１０、並びに、
（ｂ）表示装置１１１及び選択手段１１２を有し、電力供給ユニット群１０を制御する制御装置１１０、
を備えている。
【手続補正５】
【補正対象書類名】明細書
【補正対象項目名】００８３
【補正方法】変更
【補正の内容】
【００８３】
実施例６の電力供給装置１００Ｄは、実施例４の電力供給装置１００Ｄと同様に、
（ａ）複数の電力供給ユニット１１から成り、電力消費機器１３Ａが接続された電力供給ユニット群１０、並びに、
（ｂ）表示装置１１１及び選択手段１１２を有し、電力供給ユニット群１０を制御する制御装置１１０、
を備えている。
【手続補正６】
【補正対象書類名】明細書
【補正対象項目名】００９４
【補正方法】変更
【補正の内容】
【００９４】
実施例７の電力供給装置と実施例５の電力供給装置とを組み合わせることができるし、実施例７の電力供給装置と実施例６の電力供給装置とを組み合わせることができるし、実施例７の電力供給装置と実施例５と実施例６の電力供給装置とを組み合わせることができる。更には、実施例７の電力供給装置、あるいは、これらの組み合わされた電力供給装置と、実施例１〜実施例４にて説明した電力供給装置とを、適宜、組み合わせることもできる。尚、実施例１の電力供給装置と実施例２の電力供給装置との組合せを除くと、実施例７の電力供給装置と実施例１〜実施例６の電力供給装置のいずれか１種類の電力供給装置との組合せとして６通り、実施例７の電力供給装置と実施例１〜実施例６の電力供給装置のいずれか２種類の電力供給装置との組合せとして１４通り、実施例７の電力供給装置と実施例１〜実施例６の電力供給装置のいずれか３種類の電力供給装置との組合せとして１６通り、実施例７の電力供給装置と実施例１〜実施例６の電力供給装置のいずれか４種類の電力供給装置との組合せとして９通り、実施例７の電力供給装置と実施例１〜実施例６の電力供給装置のいずれか５種類の電力供給装置との組合せとして２通りを挙げることができる。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
ハウジング内にスイッチを設けると共に、前記ハウジングに設けた開口を通して前記スイッチのＯＮ／ＯＦＦ操作用の操作部材を前方に突出させたスイッチ機構において、前記開口と操作部材との間をシールする構造であって、
前記操作部材にゴムカバーを前方から被着して、前記ゴムカバーの後端を前記開口に係止させると共に、前記操作部材に、前記ゴムカバーの外側から前記操作部材に固定されて前記ゴムカバーを前記操作部材に一体化させる固定カバーを設けたことを特徴とするスイッチ機構のシール構造。
【請求項２】
前記固定カバーを、前記ゴムカバーの前面と左右の側面とを覆う横断面コ字状としたことを特徴とする請求項１に記載のスイッチ機構のシール構造。
【請求項３】
前記固定カバーに、前記ゴムカバーを貫通して前記操作部材に設けた被係止部に係止する係止爪を設けたことを特徴とする請求項１又は２に記載のスイッチ機構のシール構造。
【請求項４】
前記スイッチは、前記操作部材が後方への押し込み位置となってＯＮ状態が維持されるロックオン機能を備えることを特徴とする請求項１乃至３の何れかに記載のスイッチ機構のシール構造。
【請求項５】
ハウジング内にスイッチを設けると共に、前記ハウジングに設けた開口を通して前記スイッチのＯＮ／ＯＦＦ操作用の操作部材を前方に突出させたスイッチ機構において、前記開口と操作部材との間をシールする構造であって、
前記操作部材にゴムカバーを前方から被着して、前記ゴムカバーの後端を前記開口に係止させると共に、前記ゴムカバーの左右両側面に固定カバーを設けたことを特徴とするスイッチ機構のシール構造。
【請求項６】
ハウジング内にスイッチを設けると共に、前記ハウジングに設けた開口を通して前記スイッチのＯＮ／ＯＦＦ操作用の操作部材を前方に突出させたスイッチ機構において、前記開口と操作部材との間をシールする構造であって、
前記操作部材にゴムカバーを前方から被着して、前記ゴムカバーの後端を前記開口に係止させると共に、前記ゴムカバーの前面に固定カバーを設けたことを特徴とするスイッチ機構のシール構造。
【請求項７】
ハウジング内にスイッチを設けると共に、前記ハウジングに設けた開口を通して前記スイッチのＯＮ／ＯＦＦ操作用の操作部材を前方に突出させたスイッチ機構を備えてなる動力工具であって、
前記スイッチ機構に、請求項１乃至６の何れかに記載のシール構造を設けたことを特徴とする動力工具。
【請求項８】
前記ハウジングに設けた先端工具へ流体を供給可能な流体供給機構を備えたことを特徴とする請求項７に記載の動力工具。
【手続補正２】
【補正対象書類名】明細書
【補正対象項目名】０００６
【補正方法】変更
【補正の内容】
【０００６】
上記目的を達成するために、請求項１に記載の発明は、ハウジング内にスイッチを設けると共に、ハウジングに設けた開口を通してスイッチのＯＮ／ＯＦＦ操作用の操作部材を前方に突出させたスイッチ機構において、開口と操作部材との間をシールする構造であって、操作部材にゴムカバーを前方から被着して、ゴムカバーの後端を開口に係止させると共に、操作部材に、ゴムカバーの外側から操作部材に固定されてゴムカバーを操作部材に一体化させる固定カバーを設けたことを特徴とするものである。
請求項２に記載の発明は、請求項１の構成において、固定カバーを、ゴムカバーの前面と左右の側面とを覆う横断面コ字状としたことを特徴とするものである。
請求項３に記載の発明は、請求項１又は２の構成において、固定カバーに、ゴムカバーを貫通して操作部材に設けた被係止部に係止する係止爪を設けたことを特徴とするものである。
請求項４に記載の発明は、請求項１乃至３の何れかの構成において、スイッチは、操作部材が後方への押し込み位置となってＯＮ状態が維持されるロックオン機能を備えることを特徴とするものである。
請求項５に記載の発明は、ハウジング内にスイッチを設けると共に、ハウジングに設けた開口を通してスイッチのＯＮ／ＯＦＦ操作用の操作部材を前方に突出させたスイッチ機構において、開口と操作部材との間をシールする構造であって、操作部材にゴムカバーを前方から被着して、ゴムカバーの後端を開口に係止させると共に、ゴムカバーの左右両側面に固定カバーを設けたことを特徴とするものである。
請求項６に記載の発明は、ハウジング内にスイッチを設けると共に、ハウジングに設けた開口を通してスイッチのＯＮ／ＯＦＦ操作用の操作部材を前方に突出させたスイッチ機構において、開口と操作部材との間をシールする構造であって、操作部材にゴムカバーを前方から被着して、ゴムカバーの後端を開口に係止させると共に、ゴムカバーの前面に固定カバーを設けたことを特徴とするものである。
上記目的を達成するために、請求項７に記載の発明は、ハウジング内にスイッチを設けると共に、ハウジングに設けた開口を通してスイッチのＯＮ／ＯＦＦ操作用の操作部材を前方に突出させたスイッチ機構を備えてなる動力工具であって、スイッチ機構に、請求項１乃至６の何れかに記載のシール構造を設けたことを特徴とするものである。
請求項８に記載の発明は、請求項７の構成において、ハウジングに設けた先端工具へ流体を供給可能な流体供給機構を備えたことを特徴とするものである。
【手続補正３】
【補正対象書類名】明細書
【補正対象項目名】０００７
【補正方法】変更
【補正の内容】
【０００７】
本発明によれば、ゴムカバーによってハウジングの開口と操作部材との間を好適にシールできる。また、ゴムカバーが固定カバーによって操作部材に一体化されるので、押し込み操作の際にゴムカバーが開口のエッジに接触しにくくなり、ゴムカバーの損傷等が抑えられてシールの耐久性に優れる。
請求項２に記載の発明によれば、請求項１の効果に加えて、ゴムカバーの側面が開口のエッジに接触することをより効果的に防止可能となる。
請求項３に記載の発明によれば、請求項１又は２の効果に加えて、係止爪と被係止部との採用により、固定カバーのトリガへの固定が容易に行える。
請求項４に記載の発明によれば、請求項１乃至３の何れかの効果に加えて、ロックオン機構の使用状態が確実に視認でき、使い勝手が良好となる。
請求項８に記載の発明によれば、請求項７の効果に加えて、流体供給機構を備えた動力工具においてハウジングの開口と操作部材との間の好適なシールが可能となる。
【手続補正書】
【提出日】平成25年2月26日(2013.2.26)
【手続補正１】
【補正対象書類名】特許請求の範囲
【補正対象項目名】全文
【補正方法】変更
【補正の内容】
【特許請求の範囲】
【請求項１】
複数のプログラムが連携して動作するクライアント処理装置と、
前記クライアント処理装置に接続され、前記プログラムからのリクエストに対応した処理を実行するサーバ処理装置と、を有し、
前記クライアント処理装置は、
第一のプログラムが前記サーバ処理装置の第一のＵＲＬへ送出する第一のリクエストと、前記第一のプログラムから呼び出される第二のプログラムが第二のＵＲＬへ送出する第二のリクエストがあったとき、
前記クライアント処理装置内の通信グルーピング情報に定義された、前記第一のリクエストと前記第二のリクエストとの関連に基づいて、
前記第一のプログラムから前記第一のリクエストが送出されたとき、前記通信グルーピング情報から前記第二のリクエストを抽出し、前記第一のリクエストと前記第二のリクエストを合成したリクエストを前記サーバ処理装置の仲介機能の第三のＵＲＬへ送信し、
前記サーバ処理装置は、
前記仲介機能によって、前記第一のＵＲＬに対して、前記第一のリクエストを処理する第一の提供機能を呼び出して第一の処理結果を取得し、前記第二のＵＲＬに対して、前記第二のリクエストを処理する第二の提供機能を呼び出して第二の処理結果を取得し、
前記第一及び第二の処理結果を合成して前記クライアント処理装置に返し、
前記クライアント処理装置は、
前記合成された処理結果を分割し、前記第一の処理結果を前記第一のプログラムに返し、
前記第二の処理結果はキャッシュに保存し、
前記第二のリクエストが発生したとき、前記キャッシュから前記第二の処理結果を取得して前記第二のプログラムに返す
ことを特徴とする通信システム。
【請求項２】
請求項１に記載の通信システムにおいて、
前記クライアント処理装置は、
前記サーバ処理装置へ前記第一のリクエストを送出した後、前記合成された処理結果を受信する前に前記第二のリクエストが発生した場合は、前記第二のリクエストを前記サーバ処理装置へ送信せず、
前記サーバ処理装置から、前記合成された処理結果が返されるのを待つ
ことを特徴とする通信システム。
【請求項３】
請求項１または２に記載の通信システムにおいて、
前記サーバ処理装置で動作する仲介機能、前記第一の提供機能、前記第二の提供機能を、別のサーバ処理装置で動作するように構成し、前記仲介機能は、リクエストに応じて前記別のサーバ処理装置にある提供機能を呼び出す
ことを特徴とする通信システム。
【請求項４】
請求項１から３のいずれか一に記載の通信システムにおいて、
前記第一のリクエストと前記第二のリクエストが各々、パラメータを持っているときに、前記第一のリクエストのパラメータと、前記第二のリクエストのパラメータの間の関係を前記通信グルーピングテーブル内に定義しておき、
前記第一のリクエスト発生時に、前記通信グルーピングテーブル内に定義した関係を利用し、前記第一のリクエストに含まれるパラメータから、前記第二のリクエストに含まれるパラメータを生成する
ことを特徴とする通信システム。
【請求項５】
請求項１から４のいずれか一に記載の通信システムにおいて、
前記クライアント処理装置から前記サーバ処理装置へのリクエストの送信履歴から前記通信グルーピングテーブルを生成する際に、
前記クライアント処理装置から前記サーバ処理装置へのリクエスト送信時に、前記クライアント処理装置ではログを記録しておき、
前記クライアント処理装置で動作する通信グルーピングテーブル更新機能は、溜まったログを解析し、
リクエストが発生した時刻の差が特定時間内であるリクエストを抽出し、
前記ログ内で前記第三のリクエストと前記第四のリクエストが同時に発生した回数を評価し、評価の結果、同タイミングで発生することが多いことが分かったらそれらを前記通信グルーピングテーブルに格納する
ことを特徴とする通信システム。
【請求項６】
請求項５に記載の通信システムにおいて、
前記第三のリクエストと前記第四のリクエストのパラメータ値を比較し、パラメータ値の間に関係があるときに、前記第三のリクエストと前記第四のリクエストを対応付けて前記通信グルーピングテーブルに格納する
ことを特徴とする通信システム。
【請求項７】
複数のプログラムが連携して動作するクライアント処理装置と、
前記クライアント処理装置に接続され、前記プログラムからのリクエストに対応した処理を実行するサーバ処理装置とを有し、
前記クライアント処理装置は、
第一のプログラムが前記サーバ処理装置の第一のＵＲＬへ送出する第一のリクエストと、前記第一のプログラムから呼び出される第二のプログラムが一連の操作の中で第二のＵＲＬへ送出する第二のリクエストがあったとき、
前記クライアント処理装置内の通信グルーピング情報に定義された、前記第一のリクエストと前記少なくとも一つの第二のリクエストとの関連に基づいて、
前記第一のプログラムから前記第一のリクエストが送出されたとき、前記リクエストの送受信を制御するための制御情報に、前記第一のリクエストと前記少なくとも一つの第二のリクエストを設定し、
キャッシュ内に、前記第一のＵＲＬに対する前記第一のリクエスト及び前記第二のＵＲＬに対する前記少なくとも一つの第二のリクエストのそれぞれに対応した処理結果が既に存在するかどうかを調べて、存在の有無に応じたオン又はオフの第１のフラグを、前記第一のリクエスト及び前記少なくとも一つの第二のリクエストのそれぞれに対応して、前記制御情報に設定し、
前記第１のフラグの値の補数である第２のフラグを、前記第一のリクエスト及び前記少なくとも一つの第二のリクエストのそれぞれに対応して、前記制御情報に設定し、
前記第１のフラグがオンである少なくとも一つの前記リクエストのそれぞれの処理結果を、前記プログラムのそれぞれに返し、
前記第２のフラグがオンである少なくとも一つの前記リクエストを合成して前記サーバ処理装置に送信し、前記サーバ処理装置から合成された処理結果をまとめて受け取ったら分割してキャッシュに保存する
ことを特徴とする通信システム。
【手続補正書】
【提出日】平成25年4月10日(2013.4.10)
【手続補正１】
【補正対象書類名】特許請求の範囲
【補正対象項目名】全文
【補正方法】変更
【補正の内容】
【特許請求の範囲】
【請求項１】
光学情報読取装置が撮像した撮像画像の読み取りに失敗したときに、該ＮＧ画像を解析して読取系パラメータの最適値を探索する設定支援装置であって、
ＮＧ画像を撮像したときの設定パラメータのうち、読取系のパラメータを変化させながらデコードを行って最適なパラメータの値を自動検索するチューニング手段と、
該チューニング手段により最適化したパラメータの設定バンクを作成する設定バンク作成手段と、
該バンク作成手段により作成した設定バンクを前記光学情報読取装置に送信する設定バンク送信手段とを有することを特徴とする光学情報読取装置の設定支援装置。
【請求項２】
前記ＮＧ画像が、前記光学情報読取装置のパラメータを設定中に読み取りできなかった撮像画像である、請求項１に記載の光学情報読取装置用の設定支援装置。
【請求項３】
前記設定バンク送信手段による前記光学情報読取装置への設定バンクの送信が、前記光学情報読取装置の運用中に実行される、請求項１に記載の光学情報読取装置用の設定支援装置。
【請求項４】
前記設定バンクが前記光学情報読取装置の記憶手段から抽出され、前記設定バンク作成手段により前記設定バンクの更新が実行される、請求項３に記載の光学情報読取装置用の設定支援装置。
【請求項５】
光学情報読取装置が撮像した撮像画像の読み取りに失敗したときに、該ＮＧ画像を解析して読取系パラメータの最適値を探索する読取系パラメータの探索方法であって、
ＮＧ画像を撮像したときの設定パラメータのうち、読取系のパラメータを変化させながらデコードを行って最適なパラメータの値を自動検索するチューニングのステップと、
該チューニングのステップにより最適化したパラメータの設定バンクを作成する設定バンク作成のステップとを有することを特徴とする読取系パラメータの探索方法。
【手続補正２】
【補正対象書類名】明細書
【補正対象項目名】発明の名称
【補正方法】変更
【補正の内容】
【発明の名称】光学情報読取装置の設定支援装置および読取系パラメータの探索方法
【手続補正書】
【提出日】平成25年6月13日(2013.6.13)
【手続補正１】
【補正対象書類名】特許請求の範囲
【補正対象項目名】請求項４
【補正方法】変更
【補正の内容】
【請求項４】
前記折畳手段により接着シートを折り畳むときに、当該接着シートの折り畳み位置に外力を付与可能な折畳補助手段を備えていることを特徴とする請求項１、２又は３記載のシート剥離装置。